(57)【要約】【課題】用途が異なる複数の眼鏡の所有者が、それらの中から目的の眼鏡を容易に探し出すことができる眼鏡フレームを提供する。【解決手段】眼鏡フレームの、耳に掛ける部位であるモダン１１の内部に、マイク１３、発光ダイオード１７を取り付けた基板１２を設ける。この基板１２には、その眼鏡の用途を意味する所定の言葉（例えば、読書用眼鏡ならば「読書」）の音声を認識する音声認識部を設ける。使用者が、目的の眼鏡の用途を意味する言葉を発した時、その用途の眼鏡フレームの音声認識部が、マイク１３が受音した音声の強度・周波数等のパターンを所定の音声のパターンと照合する。両者が一致すれば、発光ダイオード１７が発光する。これにより、目的の眼鏡の発光ダイオードが発光するため、眼鏡の所有者は用途が異なる複数の眼鏡から目的の眼鏡を容易に探し出すことができる。【選択図】  図４
2004245900.tif 000002
【特許請求の範囲】
【請求項１】
ａ）音声を受音する受音部と、
ｂ）受音した音声に対応する応答を外部に出力する応答部と、
ｃ）前記受音部及び応答部に電力を供給する電源と、
を備えることを特徴とする眼鏡フレーム。
【請求項２】
前記応答部が音声に対応する光を発するものであることを特徴とする請求項１に記載の眼鏡フレーム。
【請求項３】
前記応答部が発光ダイオード又はＥＬ素子から成ることを特徴とする請求項２に記載の眼鏡フレーム。
【請求項４】
前記応答部が発光により画像を表示するものであることを特徴とする請求項２又は３に記載の眼鏡フレーム。
【請求項５】
前記応答部が音声に対応する音を発するものであることを特徴とする請求項１に記載の眼鏡フレーム。
【請求項６】
受音部が受音した所定の音声を認識する音声認識部を備えることを特徴とする請求項１〜５のいずれかに記載の眼鏡フレーム。
【請求項７】
前記電源をフレームのモダンに設けたことを特徴とする請求項１〜６のいずれかに記載の眼鏡フレーム。
【請求項８】
前記電源が２次電池であり、フレームに、該２次電池を充電するための電力を受電する受電部を設けたことを特徴とする請求項１〜７のいずれかに記載の眼鏡フレーム。
【請求項９】
前記応答部が音声に対応して発する所定の応答パターンを記憶する応答パターン記憶部を備えることを特徴とする請求項１〜８のいずれかに記載の眼鏡フレーム。
【請求項１０】
前記応答パターンのデータを受信する応答パターン受信部を備えることを特徴とする請求項９に記載の眼鏡フレーム。
【請求項１１】
請求項８〜１０のいずれかに記載の眼鏡フレームの受電部に電力を供給する給電部を設けたことを特徴とする眼鏡ホルダ。
【請求項１２】
請求項１０に記載の眼鏡フレームの応答パターン受信部に応答パターンのデータを送信する応答パターン送信部を設けたことを特徴とする眼鏡ホルダ。
【請求項１３】
前記応答パターンのデータをインターネットから受信するインターネット接続部を設けたことを特徴とする請求項１２に記載の眼鏡ホルダ。
【発明の詳細な説明】
【０００１】
【発明の属する技術分野】
本発明は、眼鏡のフレームに関する。
【０００２】
【従来の技術】
近年、複数の眼鏡を保有する人が増えている。その理由の１つとして、服装に合わせて、又は公私の違い等に応じてデザインの異なる複数の眼鏡を使い分けることがある。また、他の理由として、用途に応じて、近視用と遠視（老眼）用を使い分けることや、同じ近（遠）視用でも度数の異なる複数の眼鏡を使い分けることがある。例えば、読書用、コンピュータ作業用、屋外レジャー用、スポーツ用、仕事用等の用途に応じて専用の眼鏡を用いる。用途によって対象物との距離が異なることに起因して、特に視力調整力が弱まった高齢者が複数の眼鏡を所有する場合が多い。
【０００３】
用途が異なる複数の眼鏡を所有していると、眼鏡の使用者が、用途に応じた眼鏡を正しく選択できないことが生じる。例えば、どの眼鏡がどの用途に応じたものであるかを忘れてしまうことがある。この場合、実際にいくつかの眼鏡を掛けてみて、目的の眼鏡を探さなければならない。また、たとえ各眼鏡の用途を覚えていても、誤って異なる用途向けの眼鏡を掛けてしまうこともある。複数の眼鏡を所有することが多い高齢者ほど、このような混乱を生じる可能性が高い。
【０００４】
用途が異なる複数の眼鏡を所有している人にとって、用途に応じた眼鏡を探しやすくすれば、このような混乱を防ぐことができる。
【０００５】
眼鏡を探す手助けとなるものとして、特許文献１には、眼鏡の非装着状態において１．５〜２．０ｋＨｚの帯域の音（口笛の音の帯域に相当）を受信した時に、報知音を発する眼鏡について記載されている。これは、口笛を吹くことにより、眼鏡が発する報知音から眼鏡の置き場所を知ることができるものである。また、特許文献２には、眼鏡の非装着時に光を間欠的に発光させる発光素子及び通電制御回路を備えた眼鏡について記載されている。これは、眼鏡が発する光により、眼鏡の置き場所を知ることができるものである。
【０００６】
【特許文献１】
実公平３−１０４９２号公報（第２頁左欄１０−２６行目、第３頁右欄１０−１５行目）
【特許文献２】
特開２００１−５１２４０号公報（［０００７］、［０００９］）
【０００７】
しかし、特許文献１及び２の眼鏡は、置き場所がわからなくなった眼鏡を探し出すことを目的としたものである。これらの文献には、眼鏡を区別するという考えはないため、複数の眼鏡の中から用途に応じた眼鏡を探し出すことはできない。
【０００８】
【発明が解決しようとする課題】
本発明はこのような課題を解決するために成されたものであり、その目的とするところは、用途が異なる複数の眼鏡を容易に識別することができる手段を組み込んだ眼鏡フレームを提供することにある。また、この眼鏡フレームを含む眼鏡を使用する際に用いる眼鏡ホルダを提供する。
【０００９】
【課題を解決するための手段】
上記課題を解決するために成された本発明に係る眼鏡フレームは、
ａ）音声を受音する受音部と、
ｂ）受音した音声に対応する応答を外部に出力する応答部と、
ｃ）前記受音部及び応答部に電力を供給する電源と、
を備えることを特徴とする。
【００１０】
前記応答部は音声に対応する光を発するもの、特に発光ダイオード（ＬＥＤ）やＥＬ素子であることが望ましい。
【００１１】
本発明の眼鏡フレームは更に、受音部が受音した、所定の音声を認識する音声認識部を備える構成とすることができる。
【００１２】
本発明に係る眼鏡ホルダは、電池を充電するために眼鏡フレームに設けた受電部に電力を供給する給電部、及び／又は応答部が発する応答パターンのデータを眼鏡フレームに設けた応答パターン受信部に送信する応答パターン送信部を備えることを特徴とする。更に、前記応答パターンのデータをインターネットから受信するインターネット接続部を設けることが望ましい。
【００１３】
【発明の実施の形態】
本発明に係る眼鏡フレームにおいて、受音部は眼鏡の使用者が発する音声を受音するものであり、マイク等で構成される。応答部は、受音部が音声を受音した際に、その音声に対応する応答を光等により発するものである。ここで「音声に対応する応答を発する」とは、受音部が音声の周波数や大きさ等の違いにより異なる応答（光の色や点滅等）を発することを意味する。
【００１４】
用途が異なる複数の眼鏡を容易に識別するために、更に受音部が受音した音声を解析し、使用者が発した音声を認識する音声認識部を備えることが望ましい。ここで、音声の認識とは、単語又は複数の単語から成る所定の音声を他の音声と識別することである。例えば、使用者が読書用の眼鏡とスポーツ用の眼鏡を所有している場合には、読書用の眼鏡の眼鏡フレームに設けた音声認識部が「読書」という音声を「スポーツ」という音声や他の音声と識別できればよい。音声認識部は、典型的には演算装置やメモリ等を含む電子回路により構成される。このメモリには、識別される対象となる言葉（例えば、前記の例における「読書」という言葉）の音声データや、音声データの解析や各部の制御等を行うためのプログラムが記憶される。
【００１５】
応答部の省電力化、長寿命化、小型化に寄与するため、光を発するものとしては、発光ダイオードやＥＬ素子を用いることが好適である。ＥＬ素子は特に電力消費量が少ないため、複数個のＥＬ素子を眼鏡フレームの広い範囲に設けることができる。
【００１６】
なお、用途が異なる眼鏡を識別するためには、応答部は光を発するもの以外にも、ブザーや音声発生装置等の、音を発するものでもよい。
【００１７】
電源には、例えば１次電池又は２次電池を用いることができる。特にリチウムイオン電池等の２次電池を用いれば、使用者が適宜充電を行うことにより、電池の交換が必要な１次電池を用いるよりも容易に、長時間の使用が可能となる。２次電池を用いる場合は、２次電池を充電するための電力を受電する受電部を眼鏡フレームに設ける。この受電部には、外部の電源からケーブルを介して受電する場合にはそのケーブルと接続するための端子を、マイクロ波等を用いた無線充電を行う場合にはその受信装置を用いる。
【００１８】
耳に掛ける部位であるモダンは、フレームの中で最も幅や厚みが大きいため、上記各部を取り付けるのに好適な部位である。モダンに各部を埋め込むことにより、眼鏡全体の重心が通常の眼鏡よりも後方に移動するため、眼鏡のずり落ちを抑制するという効果も得られる。特に、重量が比較的大きい電源をモダンに設けることが望ましい。
【００１９】
本発明の眼鏡フレームの動作について説明する。眼鏡フレームの受音部は常時、周囲の音を受音している。受音された音は電気信号（音声データ）に変換され、応答部に送られる。応答部は、この音声データに対応する光や音等を発する。例えば、受音部が受音した音の強弱や高低の違いに対応して、応答部が色、強弱、点滅の時間間隔等が異なる光を発するようにすればよい。
【００２０】
用途が異なる複数の眼鏡の所有者は、各眼鏡の用途毎に定めた音声（例えば、発声、手を叩く音等）のうち、探している眼鏡について定めた所定の音声を発する。これにより、その用途の眼鏡のフレームが所定の応答をするため、眼鏡の使用者は複数の眼鏡の中から所定の眼鏡を探し出すことができる。
【００２１】
眼鏡フレームに更に音声認識部を設けた眼鏡の動作を説明する。目的の眼鏡を探す際に、使用者はその眼鏡の用途を示す所定の音声（例えば読書用眼鏡においては「読書」等）を発する。目的の眼鏡の受音部がこの所定の音声を受音すると、その音声のデータは音声認識部に送られる。音声認識部は、受音した音声と所定の音声の、強度、周波数等のパターンを照合し、所定の範囲内で合致すれば、この音声が該所定の音声であると認識する。その時、音声認識部は、所定の音声を認識したことを示す信号を応答部に送る。この信号を受けた応答部は、光や音等を発する。これにより、使用者は、複数の眼鏡のうち、光や音等を発した眼鏡が目的の眼鏡であると知ることができる。
【００２２】
音声認識部を設けた眼鏡フレームを用いれば、複数の眼鏡の中から所定の眼鏡を探し出す際に、使用者はその眼鏡の用途等を示す言葉を発すればよい。そのため、この眼鏡を探し出すことが更に容易になる。
【００２３】
応答部としてフレームに複数個の発光素子を設けて、発光時に模様を形成する、あるいはその模様を時間経過に伴い変化させる、等の発光パターンを形成するようにしてもよい。更に、これらの発光素子を画素として画像を形成するようにしてもよい。
【００２４】
このように発光パターンを様々に変化させることができるため、本発明の眼鏡フレームは前記の所定の眼鏡を探し出すための目的に留まらず、使用者がデザインの多様性を楽しむことを目的として用いることもできる。例えば、使用者が眼鏡を掛けている間中、受音部が受音した周囲の音に対応して、応答部が様々な色や模様で発光するようにすることができる。前記のように画像を形成できるようにすれば、更に選択できるデザインの範囲を広くすることができる。
【００２５】
応答部が使用者の好みに応じた、あるいは眼鏡の使用目的別に異なった応答をするように、応答部の発する光の色や模様等の空間的及び／又は時間的な発光パターンを変更できるようにすることが望ましい。そのためには、眼鏡フレームに、応答パターンのデータを記憶する応答パターン記憶部を設け、更に、応答パターンのデータを受信する応答パターン受信部を設ける。応答パターン受信部が、外部で作成された応答パターンのデータを受信し、そのデータが応答パターン記憶部に記憶される。この応答パターン受信部として、例えば、応答パターンのデータがケーブルを通して導入される場合には、そのケーブルを接続するためのコネクタを設ける。このデータが無線により導入される場合には、その無線の受信機を設ける。
【００２６】
応答パターンのデータの送受信を容易に行うために、眼鏡の非装着時に眼鏡を置くための眼鏡ホルダを用いるとよい。この眼鏡ホルダに、応答パターンのデータを送信する応答パターン送信部を設ける。例えば、前記の応答パターン受信部がケーブルを接続するコネクタである場合にはそれに対応するコネクタを、応答パターン受信部が無線の受信機である場合には無線の送信機を、応答パターン送信部とする。使用者が眼鏡を眼鏡ホルダに置くことにより、ケーブル又は無線を通したデータの送受信が可能になる。あらかじめ眼鏡ホルダに登録されているか、インターネット等を介してダウンロードされた応答パターンのデータが、眼鏡ホルダの応答パターン送信部から眼鏡フレームの応答パターン受信部を経て応答パターン記憶部に記憶される。
【００２７】
応答パターンのデータをインターネット等からダウンロードする場合には、この眼鏡ホルダに更にインターネット接続部を設けることが望ましい。このインターネット接続部には、直接インターネットに接続するものに限らず、インターネットに接続したコンピュータ等と接続することにより間接的にインターネットに接続するものを含む。インターネットから様々な種類の、あるいは最新の応答パターンを得ることができるため、眼鏡の使用者は好みに応じた様々なデザイン、あるいは最新のデザインの眼鏡を得ることができる。
【００２８】
電源に２次電池を用いる場合には、容易に充電ができるように、受電部に対応する給電部を設けた眼鏡ホルダを用いるとよい。この眼鏡ホルダに更に前記の応答パターン送信部を設けてもよい。給電部は、ケーブルを介して給電する場合にはそのケーブルと接続するための端子を、マイクロ波等を用いた無線充電を行う場合にはその送信装置を用いる。使用者が眼鏡を外してこの眼鏡ホルダに置くだけで、外部の電源から、眼鏡ホルダの給電部、眼鏡フレームの受電部を介して２次電池に電力が供給されて、２次電池が充電される。
【００２９】
【発明の効果】
本発明の眼鏡フレームは、用途が異なる複数の眼鏡がある場合に、使用者が所定の音声を発するのに対応して、その目的の眼鏡が光等で応答する。これにより、目的の眼鏡を他の眼鏡と容易に識別することができるようになる。更に、この眼鏡フレームに音声認識部を設けることにより、使用者が目的の眼鏡の用途を示す音声を発したときにその目的の眼鏡が応答する。この場合、眼鏡の用途と使用者の発する言葉とが対応するため、目的の眼鏡をより容易に探し出すことができる。
【００３０】
この眼鏡フレームは、眼鏡の装着時にも、音声による使用者の指令や周囲の音に応答して光等を発するようにすることができる。その発光パターンを工夫して、眼鏡の使用者がデザインの多様性を楽しむことができる眼鏡フレームとして用いることもできる。
【００３１】
また、本発明の眼鏡フレームを非装着時に置くための眼鏡ホルダを用いることにより、眼鏡フレームの電源へ充電すること及び／又は眼鏡フレームへ応答パターンのデータを導入することを容易に行うことができる。更に、この眼鏡ホルダにインターネット接続部を設けることにより、眼鏡の使用者はインターネットから応答パターンをダウンロードして、好みに応じた様々なデザイン、あるいは最新のデザインの眼鏡を得ることができる。
【００３２】
【実施例】
本発明に係る眼鏡フレームの第１実施例を図１及び図２に示す。図１は眼鏡フレーム１０の全体を（ａ）上面及び（ｂ）側面から見た図を表し、図２は耳に掛ける部位であるモダン１１を拡大した図を表す。眼鏡フレーム１０のうち、装着時に外側を向く側面１０１の全面に、応答部となる複数個のＥＬ素子１４を設ける。左右のモダンのうちの一方のモダン１１に、基板１２、マイク１３及び電池１５を組み込む。基板１２等はモダン１１の先端に設けた蓋１６を開けてモダン１１内に取り付ける。なお、重量バランスをとるために、他方のモダンに略同重量のウエイトを入れてもよい。又は、基板１２等と電池１５を左右のモダンに分散配置してもよい。
【００３３】
基板１２上には、演算装置やメモリ、ドライバ回路等から成る電子回路を構成する。マイク１３は基板１２上に固定してもよい。眼鏡フレーム１０内には、電力を電池１５から各ＥＬ素子１４に供給するケーブルを組み込む。電池１５には１次電池、２次電池のいずれをも用いることができる。２次電池を用いる場合には、電池をモダンやフレーム内に固定して、取り外しができないようにしてもよい。
【００３４】
第１実施例の眼鏡フレームの電気的構成を図３（ａ）のブロック図に示す。
【００３５】
第１実施例の眼鏡フレームの動作について説明する。マイク１３は使用者の発声又は周囲の音等を受音したとき、この音を電気信号に変換し、制御部２０に送る。制御部２０は、この音声信号から、音声の周波数や強度を解析し、それに対応する応答パターンのデータを要求する信号を応答パターン記憶部２１に送る。この信号に従い、応答パターン記憶部２１は制御部２０へ所定の応答パターンのデータを供給する。ここで、応答パターン記憶部２１に記憶される応答パターンのデータは、予め眼鏡フレーム内のＲＯＭに記録したものでもよいし、インターネット等からダウンロードしたデータを眼鏡フレーム内のＲＡＭに記録したものでもよい。制御部２０は、応答パターンのデータに従い、ＥＬ素子１４のドライバ（図示せず）に発光制御信号を送る。ＥＬ素子１４のドライバは、この発光制御信号に従い、各ＥＬ素子１４に電池１５からの電力を供給する。これにより、各ＥＬ素子１４は、受音した音声に対応する発光パターンで発光する。
【００３６】
この発光パターンは、例えば側面１０１のレンズ側からモダン側に向かって順にＥＬ素子１４が発光するものや隣接したＥＬ素子１４が交互に点滅するもの等、様々なものを取りうる。更に、赤・緑・青の三原色のＥＬ素子を画素として任意のデザインを表現できるようにすることもできる。これらの発光パターンや、ＥＬ素子１４の配列を工夫して、ファッション性に優れた眼鏡フレームとすることができる。特にインターネット等から発光パターンをダウンロードすることにより、眼鏡を買い換えることなく、様々な種類のデザインや最新のデザインを容易に入手することができる。
【００３７】
なお、本実施例の説明においては素子を小型化できる点や消費電力を低減できる点で、ＥＬ素子１４を発光素子として用いる場合について記載した。しかし、本実施例はＥＬ素子１４を用いる場合に限らず、発光ダイオード等の他の発光素子を用いる場合にも適用できる。
【００３８】
本発明に係る眼鏡フレームの第２の実施例を図４に示す。この実施例ではファッション性よりも実用性（低コスト性等）を重視して、応答部には前記の複数個のＥＬ素子１４の代わりに１個の発光ダイオード（ＬＥＤ）１７を用いる。前記の実施例と同様に、左右のモダンのうちの一方のモダン１１に基板１２及び電池１５を組み込む。この基板１２には発光ダイオード１７も取り付ける。
【００３９】
第２実施例の眼鏡フレームの電気的構成を図３（ｂ）に示す。第２実施例の電子回路には、上記第１実施例の各部に加え、音声認識部２２が含まれる。
【００４０】
第２の実施例の眼鏡フレームの動作を説明する。以下では、一例として、使用者が読書用、パソコン作業用、スポーツ用の３つの眼鏡を所有する場合について説明する。この場合、各眼鏡フレームの音声認識部２２を、それぞれ、「読書」、「パソコン」、「スポーツ」という言葉を認識するように設定しておく。この設定は、例えば、基板１２上に、ボールペンの尖端等で押下するスイッチを設け、このスイッチを押下している間にマイク１３が受音した言葉を登録する等の方法により行うことができる。
【００４１】
読書用の眼鏡を探している使用者が「読書」と発声した場合について、（ｉ）目的（読書用）の眼鏡及び（ｉｉ）他の用途（パソコン作業用、スポーツ用）の眼鏡の動作を、それぞれ述べる。
【００４２】
（ｉ）目的（読書用）の眼鏡の動作
マイク１３は受音した音を電気信号に変換し、制御部２０に送る。制御部２０はこの電気信号及び該信号を解析することを指示する信号を音声認識部２２に送る。音声認識部２２はこの音声の強度、周波数を解析してパターンを作成し、記憶されているパターンと照合することにより、「読書」という言葉が入力されたことを認識する。音声認識部２２は所定の音声を認識したことを示す信号を制御部２０に送る。制御部２０は該所定の音声に応じた応答パターンのデータを要求する信号を応答パターン記憶部２１に送る。この信号に従い、応答パターン記憶部２１は制御部２０へ所定の応答パターンのデータを供給する。制御部２０は、応答パターンのデータに従い、発光ダイオード１７のドライバに発光制御信号を送る。この発光制御信号に従い、発光ダイオード１７に電池１５からの電力が供給される。これにより、発光ダイオード１７は受音した音声に対応する応答パターンで発光して、使用者に読書用の眼鏡であることを示す。この発光は、所定時間の連続発光でもよいが、光が点滅するようにすれば、連続発光よりも目立つうえ、省電力にもなるため望ましい。
【００４３】
（ｉｉ）他の用途（パソコン作業用及びスポーツ用）の眼鏡の動作
マイク１３が受音した音が電気信号に変換され、制御部２０を経て音声認識部２２に送る迄の処理は、目的の眼鏡の動作と同様である。音声認識部２２はこの言葉が設定された言葉（「パソコン」又は「スポーツ」）のパターンと所定範囲内で合致しないことを検出する。そのため、音声認識部２２は制御部２０に信号を送信しないか又は設定された言葉のパターンとは異なることを示す信号を送信する。それに従い、制御部２０はその後の処理を行わないため、発光ダイオード１７は発光しない。
【００４４】
（ｉ）（ｉｉ）より、読書用の眼鏡に設けた発光ダイオードのみが発光するため、使用者は３種類の眼鏡の中から読書用の眼鏡を選択することができる。
【００４５】
図５に第２の実施例の眼鏡フレームの変形例を示す。応答部として、発光ダイオード１７の代わりにスピーカ１８を設ける。それ以外は図４の眼鏡フレームと同様の構成とする。この実施例の眼鏡フレームは、光の代わりに音で応答する。その音は、例えばブザー音や音楽等を用いることができる。また、例えば読書用の眼鏡ならば「読書用眼鏡です」と発声するようにしてもよい。
【００４６】
図６に、第１又は第２の実施例の眼鏡フレームにおいて、電池１５が２次電池であって、電池１５を充電するための受電端子３１、及び発光パターンや音声のデータを受信するための応答パターン受信端子３２を設けた例を示す。この例では、受電端子３１及び応答パターン受信端子３２は、いずれもモダンの先端に設ける。図７に、本発明の眼鏡フレームを置くための眼鏡ホルダの一例を示す。図７（ａ）の眼鏡ホルダにはモダン１１の差し込み口４１を設ける。差し込み口４１の内部には、給電端子４２及び応答パターン送信端子４３を設ける。モダン１１を差し込み口４１に差し込むと、給電端子４２から受電端子３１を経て電池１５に電力が供給され、電池１５が充電される。また、新しい発光パターンや発声パターンのデータは、応答パターン送信端子４３から応答パターン受信端子３２を経て、応答パターン記憶部２１に記憶される。
【００４７】
図７（ｂ）の眼鏡ホルダ４０には、更にコンピュータ４５と接続するためのユニバーサルシリアルバス（ＵＳＢ）端子４４を設ける。このＵＳＢ端子４４が眼鏡ホルダ４０のインターネット接続部となる。なお、インターネット接続部には、本実施例のＵＳＢ端子以外にも、コンピュータ４５と接続するための各種規格の端子を用いることができる。これらの接続端子により眼鏡ホルダ４０をコンピュータ４５に接続し、インターネット４６からダウンロードした応答パターンを、コンピュータ４５を介して眼鏡ホルダ４０に導入し、眼鏡ホルダ４０内のＲＡＭに記憶させる。眼鏡ホルダ４０に眼鏡を置くと、該応答パターンが前記と同様に眼鏡フレームの応答パターン記憶部２１に記憶される。
【００４８】
なお、第２の実施例の眼鏡フレームのように発光部をモダンに設ける場合には、差し込み口４１を透明な材料で構成することが望ましい。これにより、眼鏡ホルダに眼鏡を置いている状態で眼鏡フレームの発光部が発光しても、使用者が発光を確認することができる。
【図面の簡単な説明】
【図１】本発明に係る眼鏡フレームの第１実施例の全体を表す外観図。
【図２】第１実施例の眼鏡フレームにおけるモダンの拡大図。
【図３】第１実施例及び第２実施例の各部の接続を示すブロック図。
【図４】本発明の眼鏡フレームの第２実施例におけるモダンの拡大図。
【図５】第２実施例の変形例におけるモダンの拡大図。
【図６】本発明の眼鏡フレームに受電端子及び応答パターン受信端子を設けた例を示す外観図。
【図７】本発明の眼鏡フレームを置くための眼鏡ホルダの一実施例を示す外観図。
【符号の説明】
１０…眼鏡フレーム
１０１…側面
１１…モダン
１２…基板
１３…マイク
１４…ＥＬ素子
１５…電池
１６…蓋
１７…発光ダイオード
１８…スピーカ
２０…制御部
２１…応答パターン記憶部
２２…音声認識部
３１…受電端子
３２…応答パターン受信端子
４０…眼鏡ホルダ
４１…口
４２…給電端子
４３…応答パターン送信端子
４４…ユニバーサルシリアルバス端子
４５…コンピュータ
４６…インターネット
【図１】
2004245900.tif 000003
【図２】
2004245900.tif 000004
【図３】
2004245900.tif 000005
【図４】
2004245900.tif 000006
【図５】
2004245900.tif 000007
【図６】
2004245900.tif 000008
【図７】
2004245900.tif 000009